(57)【要約】【課題】レンズ装置の持つデータが撮像装置の撮像系の仕様に対応していない場合に、変倍に伴うピントずれを少なくする。【解決手段】撮像装置１２８には、変倍レンズ１０２の移動に伴う像面変位を補正する補正レンズ１０５の位置に関するデータを記憶したデータ記憶手段１２０、および該データに基づいて補正レンズの駆動を制御するとともに撮像装置から受信した補正情報を用いて該データを補正するレンズ制御手段１１６を有したレンズ装置１２７が取り外し可能に装着される。該撮像装置は、撮像系と、該補正情報を記憶した補正情報記憶手段１４２，１６０と、該補正情報をレンズ装置に通信する撮像制御手段１１４とを有する。該補正情報は、上記データと撮像系の仕様との非対応により発生するデフォーカスを補正するための第１の情報を含む。【選択図】図１
2007108215.tif 000002
【特許請求の範囲】
【請求項１】
変倍レンズ、該変倍レンズの移動に伴う像面変位を補正する補正レンズ、前記変倍レンズの位置に応じた前記補正レンズの位置に関するデータを記憶したデータ記憶手段、および前記データに基づいて前記補正レンズの駆動を制御するとともに撮像装置から受信した補正情報を用いて前記データを補正するレンズ制御手段を有するレンズ装置が取り外し可能に装着される撮像装置であって、
前記レンズ装置により形成された物体像を撮像する撮像系と、
前記補正情報を記憶した補正情報記憶手段と、
該補正情報を前記レンズ装置に通信する撮像制御手段とを有し、
前記補正情報は、前記データと前記撮像系の仕様との非対応により発生するデフォーカスを補正するための第１の情報を含むことを特徴とする撮像装置。
【請求項２】
前記撮像制御手段は、前記レンズ装置の種類を判別し、該判別結果に応じて、前記補正情報に前記第１の情報を含ませるか否かを決定することを特徴とする請求項１に記載の撮像装置。
【請求項３】
操作部材を有し、
前記撮像制御手段は、該操作部材が操作されたか否かに応じて、前記補正情報に前記第１の情報を含ませるか否かを決定することを特徴とする請求項１に記載の撮像装置。
【請求項４】
前記撮像系の仕様は、該撮像系に含まれる撮像素子の解像度、該撮像素子のサイズ、該撮像系に含まれるカラーフィルタの特性のうち少なくとも１つを含むことを特徴とする請求項１から３のいずれか１つに記載の撮像装置。
【請求項５】
前記第１の情報は、前記撮像系の仕様に応じて異なるバックフォーカスの差に対応する情報であることを特徴とする請求項１から４のいずれか１つに記載の撮像装置。
【請求項６】
前記第１の情報を除く前記補正情報は、温度に応じたバックフォーカス補正のための情報および製造誤差に起因するバックフォーカス補正のための情報のうち少なくとも１つを含むことを特徴とする請求項１から５のいずれか１つに記載の撮像装置。
【請求項７】
前記撮像制御手段は、前記レンズ装置からズーム位置に関する情報を受信し、該ズーム位置情報に応じて前記第１の情報を変更することを特徴とする請求項１から６のいずれか１つに記載の撮像装置。
【請求項８】
前記撮像制御手段は、前記レンズ装置からフォーカス位置に関する情報を受信し、該フォーカス位置情報に応じて前記第１の情報を変更することを特徴とする請求項１から６のいずれか１つに記載の撮像装置。
【請求項９】
変倍レンズ、該変倍レンズの移動に伴う像面変位を補正する補正レンズ、前記変倍レンズの位置に応じた前記補正レンズの位置に関するデータを記憶したデータ記憶手段、および前記データに基づいて前記補正レンズの駆動を制御するとともに撮像装置から受信した補正情報を用いて前記データを補正するレンズ制御手段を有するレンズ装置が取り外し可能に装着される撮像装置であって、
前記レンズ装置により形成された物体像を撮像する撮像系と、
前記補正情報を記憶した補正情報記憶手段と、
該補正情報を前記レンズ装置に通信する撮像制御手段と、
操作部材とを有し、
前記撮像制御手段は、前記操作部材の操作に応じて前記補正情報を変更することを特徴とする撮像装置。
【請求項１０】
請求項１から９のいずれか１つに記載の撮像装置と、
前記レンズ装置とを含むことを特徴とする撮像システム。
【請求項１１】
それぞれ請求項１から９のいずれか１つに記載の撮像装置に着脱可能なレンズ装置であって、前記撮像装置の撮像系の仕様に対応した前記データを有する第１のレンズ装置と、前記撮像系の仕様に非対応の前記データを有する第２のレンズ装置とを含むことを特徴とする交換レンズシステム。
【発明の詳細な説明】
【技術分野】
【０００１】
本発明は、レンズ交換式ビデオカメラシステム等の撮像システムに用いられる撮像装置に関する。
【背景技術】
【０００２】
撮像装置（以下、カメラという）に取り外し可能に装着される交換レンズには、変倍レンズと、該変倍レンズより像側に配置され、変倍レンズの移動に伴う像面変位を補正する補正レンズとを有するインナーフォーカスタイプのものがある。このようなインナーフォーカスタイプの交換レンズにおいては、変倍レンズの位置に応じた補正レンズの位置に関するカムデータをメモリに記憶し、該カムデータを用いて補正レンズの位置制御を行うことで、ピントが合った状態での変倍が行えるようにしている。
【０００３】
但し、インナーフォーカスタイプの交換レンズにおいては、カメラと交換レンズのバックフォーカスの不一致に起因して、ピント位置のずれとして像ぼけが発生する。特に、ワイド側においてこのような像ぼけが顕著である。
【０００４】
そこで、特許文献１には、カメラからカメラ自身のバックフォーカスに関する情報（ずれ情報）を交換レンズ側に通信し、交換レンズ側のメモリに記憶されたカムデータに補正を加えるようにしたレンズ交換式ビデオカメラシステムが提案されている。
【特許文献１】特開平９−２３３６６号公報（段落００４３〜００５５、図３〜５等）
【発明の開示】
【発明が解決しようとする課題】
【０００５】
しかしながら、特許文献１にて開示されたカメラシステムにて用いられるカムデータは、特定のカメラに搭載されている撮像系の仕様、例えば、撮像素子の解像度、該撮像素子のサイズ、該撮像系に含まれるカラーフィルタの特性を前提として決められている。このため、交換レンズが、これに記憶されたカムデータが前提としている仕様とは異なる仕様の撮像系を有するカメラに装着された場合に、カムデータを補正しきれず、変倍によってピントがずれてしまうという問題がある。
【０００６】
例えば、カムデータが前提とする撮像素子の画素ピッチよりも大幅に狭い画素ピッチを有する撮像素子が用いられている場合には、特許文献１にて開示されたカムデータの補正処理を行っても、ピント状態を維持できないおそれがある。これは、カムデータを作成するときに基準となる空間周波数に大幅な違いがあるためである。
【０００７】
したがって、撮像系の仕様が異なるカメラに対しては、それ専用の交換レンズが必要になる。これでは、ユーザーが、従来使用していたカメラとは撮像系の仕様が異なるカメラを新たに使用する場合に、従来使用していた交換レンズとは別の専用交換レンズを準備する必要が生じる。
【０００８】
本発明は、レンズ装置の持つデータが、撮像装置の撮像系の仕様に対応していない場合であっても、変倍に伴うピントずれを少なくすることができるようにした撮像装置、撮像システムおよび交換レンズシステムを提供することを目的の１つとしている。
【課題を解決するための手段】
【０００９】
本発明の一側面としての撮像装置（第１の撮像装置）は、  変倍レンズ、該変倍レンズの移動に伴う像面変位を補正する補正レンズ、変倍レンズの位置に応じた補正レンズの位置に関するデータを記憶したデータ記憶手段、および該データに基づいて補正レンズの駆動を制御するとともに撮像装置から受信した補正情報を用いて該データを補正するレンズ制御手段を有するレンズ装置が取り外し可能に装着される撮像装置である。該撮像装置は、レンズ装置により形成された物体像を撮像する撮像系と、該補正情報を記憶した補正情報記憶手段と、該補正情報をレンズ装置に通信する撮像制御手段とを有する。そして、該補正情報は、上記データと撮像系の仕様との非対応により発生するデフォーカスを補正するための第１の情報を含むことを特徴とする。
【００１０】
また、本発明の他の側面としての撮像装置は、変倍レンズ、該変倍レンズの移動に伴う像面変位を補正する補正レンズ、変倍レンズの位置に応じた補正レンズの位置に関するデータを記憶したデータ記憶手段、および該データに基づいて補正レンズの駆動を制御するとともに撮像装置から受信した補正情報を用いて該データを補正するレンズ制御手段を有するレンズ装置が取り外し可能に装着される撮像装置である。該撮像装置は、レンズ装置により形成された物体像を撮像する撮像系と、該補正情報を記憶した補正情報記憶手段と、該補正情報をレンズ装置に通信する撮像制御手段と、操作部材とを有する。そして、撮像制御手段は、操作部材の操作に応じて補正情報を変更することを特徴とする。
【００１１】
なお、上記撮像装置とレンズ装置とを含む撮像システムも本発明の一側面を構成する。さらに、上記撮像装置に着脱可能なレンズ装置であって、該撮像装置の撮像系の仕様に対応した上記データを有する第１のレンズ装置と、撮像系の仕様に非対応の上記データを有する第２のレンズ装置とを含む交換レンズシステムも、本発明の一側面を構成する。
【発明の効果】
【００１２】
第１の撮像装置では、装着されたレンズ装置が有する補正レンズ制御用のデータが該撮像装置の撮像系の仕様に対応していない場合には、該データを補正するためにレンズ装置に送信される補正情報に上記第１の情報を含める。このため、レンズ装置における補正レンズ制御用のデータと撮像系の仕様とが非対応である場合でも、変倍に伴うピントずれを確実に少なくすることができ、高画質な映像を撮影することができる。
【００１３】
また、第２の撮像装置では、レンズ装置が有する補正レンズ制御用のデータを補正するためにレンズ装置に送信される補正情報を、任意に変更することができる。したがって、例えば、レンズ装置における補正レンズ制御用のデータと撮像系の仕様とが非対応である場合でも、変倍に伴うピントずれを確実に少なくするように補正情報を変更することができ、この結果、高画質な映像を撮影することができる。
【発明を実施するための最良の形態】
【００１４】
以下、本発明の実施例について図面を参照しながら説明する。
【実施例１】
【００１５】
図１は、本発明の実施例１である撮像システムの構成を示している。該システムは、レンズ装置としての交換レンズ１２７と、この交換レンズ１２７が取り外し可能に（交換可能に）装着される撮像装置としてのビデオカメラ１２８とにより構成されている。
【００１６】
交換レンズ１２７は、被写体側から順に、固定の第１レンズユニット１０１と、光軸方向に移動して変倍を行う第２レンズユニット（以下、変倍レンズという）１０２と、絞り１０３と、固定の第３レンズユニット１０４とを有する。さらに、第３レンズユニット１０４よりも像側には、光軸方向に移動してフォーカシングと変倍に伴う像面変位の補正とを行う第４レンズユニット（以下、補正レンズという）１０５を有する。
【００１７】
変倍レンズ１０２および補正レンズ１０５は、エンコーダ等の絶対位置検出器１０２Ａ，１０５Ａによりそれぞれの絶対位置が検出され、その検出情報は交換レンズ１２７内に設けられたレンズ制御手段としてのレンズマイクロコンピュータ１１６に供給される。
【００１８】
交換レンズ１２７を通過した被写体からの光束は、カメラ１２８に設けられたＣＣＤセンサやＣＭＯＳセンサ等の撮像素子１０６の受光面上に到達する。撮像素子１０６の前面には、ＲＧＢのカラーフィルタ１０６ａが設けられている。撮像素子１０６とカラーフィルタ１０６ａ、および撮像素子１０６からの出力信号を処理する後述する増幅器１０９やカメラ信号処理回路１１２により撮像系が構成される。
【００１９】
なお、本実施例では、１つの撮像素子によってＲＧＢの各色光を光電変換する場合について説明するが、本発明は、これに限らず、３つの撮像素子によってＲＧＢの各色光を光電変換する場合にも適用することができる。この場合、Ｒ，Ｇ，Ｂ用の撮像素子にＲ，Ｇ，Ｂ用のカラーフィルタがそれぞれ設けられる。
【００２０】
撮像素子１０６の光電変換機能によって出力された信号は、増幅器１０９で最適なレベルに増幅され、カメラ信号処理回路１１２へと入力される。カメラ信号処理回路１１２は、増幅器１０９から入力された信号を、ハイビジョンテレビ信号（ＨＤ映像）に変換し、不図示の記録媒体（磁気テープ、半導体メモリ、光ディスク等）に記録する。また、カメラ信号処理回路１１２から出力されたテレビ信号はＡＦ信号処理回路１１３に入力される。
【００２１】
ＡＦ信号処理回路１１３では、テレビ信号から映像のコントラスト状態を示すＡＦ評価値を生成する。該ＡＦ評価値信号は、カメラ１２８内に設けられた撮像制御手段としてのカメラマイクロコンピュータ１１４によってＡＦデータ読み出しプログラム１１５を用いて読み出され、レンズマイクロコンピュータ１１６により送信される。ここで、カメラマイクロコンピュータ１１４とレンズマイクロコンピュータ１１６とは、カメラ１２８と交換レンズ１２７とのマウント結合部に設けられた通信端子１９０を介して、相互に通信が可能である。
【００２２】
カメラマイクロコンピュータ１１４は、ズームスイッチ１３０およびＡＦスイッチ１３１の状態を読み込み、該状態を示す操作情報をレンズマイクロコンピュータ１１６に送信する。
【００２３】
レンズマイクロコンピュータ１１６は、該操作情報によってＡＦスイッチ１３１が押されておらず、かつズームスイッチ１３０が押されていると判断したときは、変倍レンズ１０２をズームスイッチ１３０が押されている方向（テレ又はワイド方向）に駆動する。具体的には、ズームモータドライバ１２２に信号を送り、ズームアクチュエータ１２１を駆動することによって、変倍レンズ１０２を駆動する。
【００２４】
このとき、カメラマイクロコンピュータ１１４は、ズーム駆動プログラム１１９に従い、レンズマイクロコンピュータ１１６内に設けられたカムデータメモリ１２０に予め記憶されたフォーカスカムデータに基づいて、補正レンズ１０５を駆動する。具体的には、フォーカスモータドライバ１２６に信号を送り、フォーカスアクチュエータ１２５を駆動することによって、補正レンズ１０５を駆動する。これにより、像面変位、つまりはピントずれ（デフォーカス）がほとんどない状態での変倍が行われる。
【００２５】
本実施例のように、変倍レンズ１０２よりも補正レンズ１０５が像側に配置されているインナーフォーカスタイプのレンズでは、変倍時にピントを維持するための補正レンズ１０５の位置は被写体距離によって変化する。このため、フォーカスカムデータは、図２（ａ）に示すように、変倍レンズ１０２の絶対位置ごとおよび被写体距離ごとの補正レンズ１０５の駆動位置を示す。そして、ズーム駆動プログラム１１９は、位置検出器１０２Ａ，１０５Ａにより変倍レンズ１０２および補正レンズ１０５の絶対位置を検出する。そして、該絶対位置情報によって選択されたフォーカスカムデータを用いて、フォーカスアクチュエータ１２５の回転方向および回転量を決定する。
【００２６】
また、このとき、ズーム駆動プログラム１１９は、カメラマイクロコンピュータ１１４から送信されてきたＡＦ評価信号を参照し、該ＡＦ評価値が最大になる位置を保ちつつ変倍動作を行う。これにより、フォーカスカムデータを用いた補正レンズ１０５の駆動方向の誤判定を防止することができる。
【００２７】
ＡＦスイッチ１３１が押され、ズームスイッチ１３０が押されていないときは、レンズマイクロコンピュータ１１６内のＡＦ制御部１１７がオートフォーカス動作を行う。具体的には、ＡＦ制御部１１７は、ＡＦ評価値信号が最大になるようにフォーカスモータドライバ１２６およびフォーカスモータ１２５を介して補正レンズ１０５を駆動する。これにより、オートフォーカスが行われる。
【００２８】
ここで、上述したように変倍時にフォーカスカムデータに基づいて補正レンズ１０５の位置を制御する場合においては、正確なバックフォーカスを確保するためのフォーカスカムデータを定めなければならない。そして、該フォーカスカムデータは、予め所定の条件下で設定された基本フォーカスカムデータを所定の補正値を用いて補正することにより定められる。
【００２９】
ここでいう所定の補正値とは、交換レンズ１２７自身で持っている補正値（以下、レンズ側補正値という）と、カメラ１２８から伝達される補正値（以下、カメラ側補正値という）との合計値である。
【００３０】
レンズ側補正値とは、例えば、該交換レンズの製造誤差に起因するバックフォーカス（以下、ＢＦと略す）のばらつきを補正するための固定的な補正値と、温度変化に起因したＢＦ変動を補正するための変動的な補正値との合計値である。
【００３１】
同様に、カメラ側補正値は、カメラ１２８の製造誤差に起因するＢＦのばらつきを補正するための固定的な補正値（以下、ばらつき測定データという）と、温度変化に起因したＢＦ変動を補正するための変動的な補正値（以下、温度補償データという）とを含む。温度補償データは、温度補償制御部１４１において、温度センサ１４０によって検出された温度に応じたデータとして生成される。
【００３２】
但し、本実施例では、さらにカメラ側補正値の１つとして、デフォーカス補正データ（第１の情報）を設けている。デフォーカス補正データは、交換レンズ１２７のフォーカスカムデータがカメラ１２８の撮像系の仕様に対応していないために発生する変倍時のピントずれを補正するための補正データである。デフォーカス補正データは、デフォーカス補正メモリ１６０に記憶されている。
【００３３】
フォーカスカムデータがカメラ１２８の撮像系の仕様に対応していない場合とは、本実施例では、そのフォーカスカムデータが標準（ＳＤ）映像を撮影するための仕様の撮像系を有するＳＤカメラに装着されることを前提として作成された場合である。
【００３４】
このように、デフォーカス補正データをカメラ側補正値に含ませることで、該カメラ側補正値を受信したレンズマイクロコンピュータ１１６は、ＨＤ映像を撮影するＨＤカメラであるカメラ１２８の撮像系の仕様に合うように、フォーカスカムデータを補正する。
【００３５】
ここで、フォーカスカムデータについて説明する。ＳＤカメラの仕様に対応するＳＤ交換レンズにおいて、基本となるフォーカスカムデータは、ＳＤカメラに使用される撮像素子のナイキスト周波数に関係し、ＳＤカメラに対応した空間周波数によって計算されたものが用いられる。
【００３６】
この基本のフォーカスカムデータに対して、ＳＤ交換レンズを基準ＳＤカメラに装着し、該交換レンズの製造上のばらつきや温度変化に起因した変倍時のピントずれ量（デフォーカス量）を測定する。そして、この測定結果から該デフォーカスを許容範囲に収めるために必要なバックフォーカス補正の固定的および変動的補正値をそれぞれ決定する。
【００３７】
しかし、ＨＤカメラに搭載される撮像素子は、ＳＤカメラに比べて画素が狭ピッチ化（高画素化）しているのが普通である。そして、これに伴い、撮像素子のナイキスト周波数も上がる。したがって、ＳＤカメラを前提としたフォーカスカムデータでは、ＨＤカメラでベストピント位置が得られない。
【００３８】
この原因として、交換レンズが有する球面収差による影響が挙げられる。交換レンズが装着されるカメラがＳＤカメラからＨＤカメラに変わって撮像素子が挟ピッチ化した場合、ＳＤカメラではベストデフォーカスとされていた最小錯乱円の位置において高周波の解像が得られず、像ぼけとして認識されてしまう。これにより、ベストデフォーカス位置が芯最小位置の方向にずれるための現象である。
【００３９】
一般に、芯最小位置では、解像は最高の状態になるが、低周波の領域の画像に対してはコントラストの低い状態となることが知られている。しかし、この分のＭＴＦ等の落ち込みは、撮像素子からの出力信号を処理するカメラ信号処理部１１２にて補正することが可能であり、高い周波数まで十分に解像された好ましい画像を得ることができる。
【００４０】
したがって、本実施例では、カメラマイクロコンピュータ１１４は、カメラ１２８に装着された交換レンズ１２７の種類、すなわちＳＤレンズかＨＤレンズかを識別する。そして、交換レンズ１２７がＳＤレンズの場合には、撮像系のＨＤ仕様に対してＳＤレンズを使用した場合に発生し得るベストデフォーカス位置のずれ量（デフォーカス）を補正するためのデフォーカス補正データをカメラ側補正値に加えてレンズ側に供給する。該カメラ側補正値を受信したレンズマイクロコンピュータ１１６は、該カメラ側補正値を用いてフォーカスカムデータを補正する。
【００４１】
この補正の様子を示したのが図２（ｂ）である。図２（ｂ）には、例として、図２（ａ）に示す基本フォーカスカムデータ（実線）と、該基本フォーカスカムデータが前提とするＢＦに比べて、ＢＦが伸びた場合の補正後のフォーカスカムデータ（点線）とを示す。ＢＦが伸びた場合は、この伸び分を基本フォーカスカムデータから差し引いて、フォーカスカムデータを全体として下方にシフトするように補正演算する。また、ＢＦが縮んだ場合は、この縮み分を基本フォーカスカムデータに加えて、フォーカスカムデータを全体として上方にシフトするように補正演算する。
【００４２】
これにより、ユーザーが既に所有していたＳＤ交換レンズ１２７をＨＤカメラ１２８に装着した場合でも、変倍時の像面変動、つまりはデフォーカスをほとんどなくすることができ、高解像度の映像を撮影することができる。
【００４３】
しかも、本実施例では、デフォーカス補正データを従来もレンズ側に送信されていたばらつき測定データおよび温度補償データに加えて１つのカメラ側補正値としてレンズ側に送信する。このため、これを受け取る交換レンズ１２７では、従来と同じカメラ側補正値として扱うことができる。したがって、カメラ１２８と交換レンズ１２７との間に新たな通信ラインを設けたり、レンズマイクロコンピュータ１１６内でのフォーカスカムデータの補正演算方法を変更する必要がない。
【００４４】
なお、ベストデフォーカス位置のずれ量は、ズーム位置、補正レンズの位置（フォーカス位置）、球面収差の倒れ量の違いおよび絞り値によって変化する。このため、位置検出器１０２Ａからのズーム位置情報１５１、位置検出器１０５Ａからのフォーカス位置情報１５２、さらに不図示の絞り位置検出器からの絞り値情報に基づいて、デフォーカス補正データを選択又は補正する処理を行ってもよい。これにより、より精度の高いフォーカスカムデータ補正を行うことができる。
【００４５】
また、フォーカスカムデータは、先に説明したように、交換レンズ１２７の製造誤差に起因するＢＦのばらつきや温度変化に起因したＢＦ変動によっても補正する必要がある。このため、上述したカメラ側補正値によるフォーカスカムデータの補正に加えて、レンズ側補正値によるフォーカスカムデータの補正も行われる。
【００４６】
次に、本実施例において、カメラ１２８からカメラ側補正値を交換レンズ１２７側に伝達する通信動作について説明する。
【００４７】
カメラ１２８における構造部品の製造精度、取り付け誤差等により発生するＢＦのばらつきは、ばらつき測定データとしてカメラ１２８の製造段階で測定される。そして、このばらつき測定データは、書き換え可能なばらつきデータメモリ１４２に書き込まれる。
【００４８】
撮影動作中に発生する環境温度の変化は、カメラ１２８に設けられた温度センサ１４０によって計測し、カメラマイクロコンピュータ１１４内の温度補償制御部１４１の作動プログラムによってＢＦの変動量データ、つまりは温度補償データに変換される。
【００４９】
さらに、前述したようにカメラマイクロコンピュータ１１４は、レンズマイクロコンピュータ１１６から送信されてきた該交換レンズ１２７の種類を示す情報に基づいて、該交換レンズ１２７がＳＤ交換レンズかＨＤ交換レンズかを判定する。交換レンズ１２７の種類を示す情報は、レンズマイクロコンピュータ１１６内の機種情報メモリ１５０にレンズ機種情報として記憶されている。
【００５０】
そして、ＳＤ交換レンズであると判定したときは、ばらつき測定データおよび温度補償データに、デフォーカス補正データを加えてカメラ側補正値とし、所定のタイミングで交換レンズ１２７に送信する。なお、交換レンズ１２７がＨＤ交換レンズであると判定したときは、ばらつき測定データおよび温度補償データのみをカメラ側補正値とし、交換レンズ１２７に送信する。
【００５１】
レンズマイクロコンピュータ１１６において、ズーム駆動プログラム１１９は、送信されてきたカメラ側補正値を用いて、フォーカスカムデータを補正する。
【００５２】
次に、図３のフローチャートを用いて上記通信および処理の流れを説明する。カメラ１２８と交換レンズ１２７の通信における関係は、本実施例ではカメラ１２８がマスターで、交換レンズ１２７がスレーブとなっている。レンズマイクロコンピュータ１１６は、カメラ側のクロック出力に同期して転送されてくるデータ内の識別情報によって、その通信が初期通信かその後の逐次通信かを判断する。
【００５３】
図３（ａ），（ｂ）のフローチャートには、カメラ１２８の通信動作を示している。図３（ａ）に示すように、電源投入時又はレンズ交換の直後（ステップ〔図中ではＳと略記する〕０）、カメラマイクロコンピュータ１１４は、交換レンズ１２７が装着されているか否かをチェックする（ステップ１）。装着されていれば、レンズマイクロコンピュータ１１６から初期情報として送信されてきたレンズ機種情報に基づいて、該交換レンズがＨＤレンズかＳＤレンズかを判別する（ステップ２）。
【００５４】
ＳＤレンズである場合は、カメラ側補正値として、ばらつき測定データ＋温度補償データ＋デフォーカス補正データを設定する（ステップ３）。また、ＨＤレンズである場合は、カメラ側補正値として、ばらつき測定データ＋温度補償データを設定する（ステップ４）。
【００５５】
次に、カメラマイクロコンピュータ１１４は、上記カメラ側補正値とその他の初期通信すべき情報とを初期情報としてセットする（ステップ５）。そして、レンズマイクロコンピュータ１１６に対して初期通信を行う（ステップ６）。
【００５６】
また、初期通信完了後は、図３（ｂ）に示すように、通信開始割り込みを逐次かける（ステップ７）。これに応じて交換レンズ１２７の装着状態がチェックされ（ステップ８）、装着されていれば、逐次情報をセットし（ステップ９）、レンズマイクロコンピュータ１１６に逐次通信を行う（ステップ１０）。逐次通信には、カメラシステムの使用中に変化し得る温度補償データのみのカメラ側補正値が逐次情報の１つとして含まれる。ステップ８において、交換レンズ１２７が取り外された場合は、ステップ１に戻る。
【００５７】
図３（ｃ）のフローチャートには、交換レンズ１２７の通信動作を示している。レンズマイクロコンピュータ１１６内でのほとんどの処理は、ＡＦやレンズ移動制御が占め、所定タイミングで行われるカメラマイクロコンピュータ１１４との通信が完了した時点で、通信完了の割り込みをかけ（ステップ２０）、一時的に通信処理を行う。
【００５８】
ステップ２１では、今回の通信が初期通信か否かを判別する。初期通信であるときは、カメラマイクロコンピュータ１１４から送信されてきた初期情報のうち、ばらつき測定データ、温度補償データおよびデフォーカス補正データを含むカメラ側補正値を不図示のメモリ１に転送する（ステップ２２）。一方、逐次通信であるときは、カメラマイクロコンピュータ１１４から送信されてきた逐次情報のうち温度補償データのみのカメラ補正値を不図示のメモリ２に転送する（ステップ２３）。そして、割り込み処理を完了する。
【００５９】
メモリ１とメモリ２に書き込まれたカメラ補正値は、フォーカスカムデータの補正に用いられる。
【００６０】
なお、本実施例では、カメラマイクロコンピュータ１１４内でばらつき測定データ、温度補償データ（およびデフォーカス補正データ）を合計してカメラ側補正値を求め、その上でレンズマイクロコンピュータ１１６に送信する場合について説明した。しかし、本発明では、ばらつき測定データ、温度補償データ（およびデフォーカス補正データ）を個別に３つのカメラ側補正値としてレンズマイクロコンピュータ１１６に送信し、レンズマイクロコンピュータ１１６においてこれらを合計して補正に使用してもよい。
【実施例２】
【００６１】
以下、本発明の実施例２について説明する。実施例１では、カメラにおいて、装着された交換レンズの種類を判別し、所定種類の交換レンズであった場合に、ばらつき測定データ、温度補償データおよびデフォーカス補正データを合計してカメラ側補正値とする場合について説明した。しかし、本実施例では、交換レンズの種類の判別を行うことなく、フォーカスカムデータの適正な補正を行う。
【００６２】
図４には、本実施例のビデオカメラシステムの構成を示している。なお、本実施例において、実施例１と同じ構成要素については実施例１と同符号を付して説明に代える。
【００６３】
本実施例では、カメラ側補正値をばらつき測定データと温度補償データのみとし、ユーザーの操作に応じて該ばらつき測定データの書き換えを可能としている。すなわち、ＦＢ補正スイッチ１４３を設け、該ＦＢ補正スイッチ１４３が操作されることによって、メモリ１４２内のばらつき測定データを書き換えることができるようにしている。
【００６４】
具体的には、まずユーザーは、テレ側でピントを合わせ、マニュアルズームによってワイド側まで変倍する。次に、ＦＢ補正スイッチ１４３が操作されると、カメラマイクロコンピュータ１１６はＡＦ動作を行ってピントを取り直す。そして、ＡＦでピントを取り直したときの補正レンズ１０５の移動量を用いてばらつき測定データを書き換える。ばらつき測定データが変更されることにより、結果的にフォーカスカムデータの補正が行われる。
【００６５】
このようにカメラ側補正値であるばらつき測定データをユーザーの操作に応じて変更できるようにすれば、実施例１にて説明したデフォーカス補正データやこれを記憶しておくメモリを不要とすることができる。しかも、実施例１と同様に、ユーザーが既に所有していたＳＤ交換レンズ１２７をＨＤカメラ１２８に装着した場合でも、変倍時の像面変動をほとんどなくすることができる。
【実施例３】
【００６６】
以上説明した実施例１，２のビデオカメラを用いれば、図５に示すようなビデオカメラシステムおよび交換レンズシステム１８０を構築することができる。
【００６７】
図５において、交換レンズＡ，Ｂはともに、実施例１，２に示したビデオカメラ（ＨＤカメラ）１２８に装着可能なレンズである。交換レンズＡは、そのフォーカスカムデータがＨＤカメラ１２８の撮像系の仕様に非対応であるＳＤレンズ１２７である。交換レンズＢは、そのカムデータがＨＤカメラ１２８の撮像系の仕様に対応したＨＤレンズを示す。
【００６８】
すなわち、ユーザーは既に所有していたＳＤ交換レンズＡ（１２７）と、新たに準備したＨＤ交換レンズＢ（１７０）とを用途（必要な焦点距離範囲等）に応じてＨＤカメラ１２８に対して使い分けることができる。
【００６９】
以上、本発明の好ましい実施例について説明したが、本発明はこれらの実施例に限定されず、請求項に記載した内容の範囲内で種々の変形が可能である。
【図面の簡単な説明】
【００７０】
【図１】本発明の実施例１であるビデオカメラシステムの構成を示すブロック図。
【図２】実施例１におけるフォーカスカムデータを示す図。
【図３】実施例１における通信動作を示すフローチャート。
【図４】本発明の実施例２であるビデオカメラシステムの構成を示すブロック図。
【図５】本発明の実施例３であるビデオカメラシステムの構成を示す概略図。
【符号の説明】
【００７１】
１０６  撮像素子
１０６ａ  カラーフィルタ
１１４  カメラマイクロコンピュータ
１１６  レンズマイクロコンピュータ
１２０  カムデータメモリ
１２７  交換レンズ
１２８  ビデオカメラ
１４１  温度補償制御部
１４２  ばらつきデータメモリ
１５０  機種情報メモリ
１６０  デフォーカス補正メモリ
【図１】
2007108215.tif 000003
【図２】
2007108215.tif 000004
【図３】
2007108215.tif 000005
【図４】
2007108215.tif 000006
【図５】
2007108215.tif 000007